(57)【要約】【課題】本発明は、端子ピンの先端部に位置決め部を形成することにより、リード線の位置決め及び固定接続を容易化することを目的とする。【解決手段】本発明によるレゾルバの端子接続構造は、輪状ステータ(1)の端子ピン保持部(7)の端子ピン(8)の先端部(9)に設けた貫通孔(20a)等の位置決め部(20)にリード線(10)を位置決めした後に、抵抗溶接等で固定接続する構成である。【選択図】図２
2006223059.tif 000002
【特許請求の範囲】
【請求項１】
内方へ向けて突出する複数の磁極(2)を有し内側に回転自在なロータ(1A)を有する輪状ステータ(1)と、前記輪状ステータ(1)の両面に設けられた輪状絶縁カバー(3)を介して前記各磁極(2)に巻回され励磁巻線(4)及び出力巻線(5)からなるステータ巻線(6)と、前記輪状絶縁カバー(3)の一端から外方へ延設された端子ピン保持部(7)に設けられ前記ステータ巻線(6)が接続された複数の端子ピン(8)と、前記各端子ピン(8)に接続されたリード線(10)とを備えた構成よりなるレゾルバの端子接続構造において、
前記端子ピン(8)の先端部(9)に形成された位置決め部(20)を有し、前記位置決め部(20)により前記リード線(10)を位置決めした後、前記端子ピン(8)とリード線(10)とを接続したことを特徴とするレゾルバの端子接続構造。
【請求項２】
前記位置決め部(20)は、前記端子ピン(8)の厚さ方向に貫通して形成された貫通孔(20a)よりなり、前記リード線(10)は前記貫通孔(20a)を貫通してＬ字型に折り曲げられて前記端子ピン(8)に位置決めされていることを特徴とする請求項１記載のレゾルバの端子接続構造。
【請求項３】
前記位置決め部(20)は、前記端子ピン(8)のＬ字型曲折部(20b)に形成されたピン用貫通孔(20c)よりなり、前記リード線(10)は前記ピン用貫通孔(20c)を貫通して前記端子ピン(8)に位置決めされていることを特徴とする請求項１記載のレゾルバの端子接続構造。
【請求項４】
前記位置決め部(20)は、前記端子ピン(8)の一部に形成されたＬ字型舌片(20d)よりなり、前記リード線(10)は前記Ｌ字型舌片(20d)の内側に位置して位置決めされていることを特徴とする請求項１記載のレゾルバの端子接続構造。
【発明の詳細な説明】
【技術分野】
【０００１】
本発明は、レゾルバの端子接続構造に関し、特に、端子ピンの先端部に形成された貫通孔等からなる位置決め部を介して位置決めした後、抵抗溶接等により接続するための新規な改良に関する。
【背景技術】
【０００２】
従来、用いられていたこの種のレゾルバの端子接続構造としては、図７及び図８に示される構成及び特許文献１の構成を挙げることができる。
すなわち、図７及び図８において符号１で示されるものは、内方へ向けて突出する複数の磁極２を有すると共に、内側にロータ１Ａを備えた輪状ステータであり、この各磁極２には、前記輪状ステータ１の両面に一体成形又は別体にて設けられた輪状絶縁カバー３を介して励磁巻線４及び出力巻線５からなるステータ巻線６が巻回して設けられている。
【０００３】
前記各輪状絶縁カバー３の一方又は両方と一体に形成され前記輪状ステータ１の径方向に沿って突出する端子ピン保持部７には、複数のＬ字型をなす端子ピン８がインサート成形により設けられ、各端子ピン８の板状をなす先端部９は前記端子ピン保持部７の外側方向に沿って延設されている。
【０００４】
前記各磁極２に巻回された前記ステータ巻線６は、前記各端子ピン８にからげて接続されていると共に、前記各先端部９には外部接続するためのリード線１０が抵抗溶接による抵抗溶接部１１を介して固定接続されている。
【０００５】
また、前述の特許文献１に開示されたレゾルバの端子接続構造においては、端子ピン８の先端部のかしめ部８ａにリード線１０を係合させてかしめによって固定接続させている。
【０００６】
【特許文献１】米国特許第５９２０１３５号明細書
【発明の開示】
【発明が解決しようとする課題】
【０００７】
従来のレゾルバの端子接続構造は、以上のように構成されていたため、次のような課題が存在していた。
すなわち、図７及び図８で示される従来構成の場合、平板状の端子ピン８の先端部９にリード線１０を直接抵抗溶接するため、先端部９に対するリード線１０の位置決めが難しく、接続ミスが発生しやすく、歩留まりを向上させることが困難であった。
また、図９の従来構成の場合、端子ピン８のかしめ部８ａによってリード線１０をかしめるため、かしめによりリード線１０に歪みが入りやすく、端子ピン８への接続後のリード線１０の耐久性に問題が発生することがあった。
【課題を解決するための手段】
【０００８】
本発明によるレゾルバの端子接続構造は、内方へ向けて突出する複数の磁極を有し内側に回転自在なロータを有する輪状ステータと、前記輪状ステータの両面に設けられた輪状絶縁カバーを介して前記各磁極に巻回され励磁巻線及び出力巻線からなるステータ巻線と、前記輪状絶縁カバーの一端から外方へ延設された端子ピン保持部に設けられ前記ステータ巻線が接続された複数の端子ピンと、前記各端子ピンに接続されたリード線とを備えた構成よりなるレゾルバの端子接続構造において、前記端子ピンの先端部に形成された位置決め部を有し、前記位置決め部により前記リード線を位置決めした後、前記端子ピンとリード線とを接続した構成であり、また、前記位置決め部は、前記端子ピンの厚さ方向に貫通して形成された貫通孔よりなり、前記リード線は前記貫通孔を貫通してＬ字型に折り曲げられて前記端子ピンに位置決めされている構成であり、また、前記位置決め部は、前記端子ピンのＬ字型曲折部に形成されたピン用貫通孔よりなり、前記リード線は前記ピン用貫通孔を貫通して前記端子ピンに位置決めされている構成であり、また、前記位置決め部は、前記端子ピンの一部に形成されたＬ字型舌片よりなり、前記リード線は前記Ｌ字型舌片の内側に位置して位置決めされている構成である。
【発明の効果】
【０００９】
本発明によるレゾルバの端子接続構造は、以上のように構成されているため、次のような効果を得ることができる。
すなわち、端子ピンの先端部に形成された位置決め部にリード線を位置決めした後に、抵抗溶接等で接続しているため、端子ピンの先端部に対するリード線の位置決めが確実となり、歩留まりの良好な固定接続を達成することができる。
【発明を実施するための最良の形態】
【００１０】
本発明は、端子ピンの先端部に形成された貫通孔等からなる位置決め部を介して位置決めした後、抵抗溶接等により接続するようにしたレゾルバの端子接続構造を提供することを目的とする。
【実施例】
【００１１】
以下、図面と共に本発明によるレゾルバの端子接続構造の好適な実施の形態について説明する。
尚、従来例と同一又は同等部分については同一符号を付して説明する。
図１及び図２において符号１で示されるものは、内方へ向けて突出する複数の磁極２を有すると共に、内側にロータ１Ａを備えた輪状ステータであり、この各磁極２には、前記輪状ステータ１の両面に一体成形又は別体にて設けられた輪状絶縁カバー３を介して励磁巻線４及び出力巻線５からなるステータ巻線６が巻回して設けられている。
【００１２】
前記各輪状絶縁カバー３の一方又は両方と一体に形成され前記輪状ステータ１の径方向に沿って突出する端子ピン保持部７には、複数のＬ型をなす端子ピン８がインサート成形により設けられ、各端子ピン８の板状をなす先端部９は前記端子ピン保持部７の外側方向に沿って延設されている。
【００１３】
前記各磁極２に巻回された前記ステータ巻線６は、前記各端子ピン８にからげて接続されていると共に、前記各先端部９には位置決め部２０が形成されている。
前記位置決め部２０は、図３の第１形態においては、この先端部９の板の厚さ方向に貫通して形成された貫通孔２０ａから構成されている。
【００１４】
前記貫通孔２０ａに貫通されたリード線１０は、先端部９の一面側から他面側にかけてＬ字型に折り曲げられて取り付けられて位置決めされ、このリード線１０と先端部９とは抵抗溶接による抵抗溶接部１１によって固定接続されている。
【００１５】
図４は前記位置決め部２０の第２形態を示す構成図であり、前記先端部９がＬ字型に曲折されたＬ字型曲折部２０ｂに形成され、このＬ字型曲折部２０ｂに板の厚さ方向に形成されたピン用貫通孔２０ｃで形成されている。
【００１６】
前記ピン用貫通孔２０ｃに貫通されたリード線１０は、この状態で先端部９に対して位置決めされ、リード線１０と接合する先端部９の一部分が抵抗溶接によって抵抗溶接部１１として接合され固定接続されている。
【００１７】
図５及び図６は前記位置決め部２０の第３形態を示しており、前記先端部９から一体に形成されＬ字型に曲折して形成されたＬ字型舌片２０ｄによって構成され、このＬ字型舌片２０ｄ内にリード線１０を挿入して先端部９に対するリード線１０の位置決めが行なわれ、この状態で、抵抗溶接による抵抗溶接部１１を形成することにより、先端部９とリード線１０の固定接続が行なわれる。尚、前述の抵抗接続に限ることなく、他の周知の溶接による接続とすることもできる。
【産業上の利用可能性】
【００１８】
本発明は、レゾルバに限らず、モータ等の他の回転機等にも適用可能である。
【図面の簡単な説明】
【００１９】
【図１】本発明によるレゾルバの端子接続構造を示す平面図である。
【図２】図１の断面図である。
【図３】図１の要部の拡大断面図である。
【図４】図３の他の形態を示す構成図である。
【図５】図３の他の形態を示す構成図である。
【図６】図５の底面図である。
【図７】従来構成を示す平面図である。
【図８】図７の断面図である。
【図９】他の従来構成を示す側面図である。
【符号の説明】
【００２０】
１    輪状ステータ
１Ａ    ロータ
２    磁極
３    輪状絶縁カバー
６    ステータ巻線
７    端子ピン保持部
８    端子ピン
９    先端部
１０    リード線
１１    抵抗溶接部
２０    位置決め部
２０ａ    貫通孔
２０ｂ    Ｌ字型曲折部
２０ｃ    ピン用貫通孔
２０ｄ    Ｌ字型舌片
【図１】
2006223059.tif 000003
【図２】
2006223059.tif 000004
【図３】
2006223059.tif 000005
【図４】
2006223059.tif 000006
【図５】
2006223059.tif 000007
【図６】
2006223059.tif 000008
【図７】
2006223059.tif 000009
【図８】
2006223059.tif 000010
【図９】
2006223059.tif 000011